(57)【要約】【課題】種々のマイコンに適応できる電子回路装置を提供する。【解決手段】電子回路装置１２は、クロック信号ＥＣＬＫに応じてデータをレジスタ２８に書込む。第一の端子２２は、クロック信号ＥＣＬＫを入力する。第二の端子２４は、データを入力する。第三の端子２４は、クロック信号ＥＣＬＫの立ち上がりでデータをレジスタ２８に書込むか、クロック信号ＥＣＬＫの立ち下がりでデータをレジスタ２８に書込むかを選択する選択信号ＳＥを入力する。【選択図】　図２
2004023759.tif 000002
【特許請求の範囲】
【請求項１】
制御手段から出力されるクロック信号に応じてデータをレジスタに書込む電子回路制御方法であって、前記データの書込みタイミングを設定する端子を備え、前記クロック信号がハイレベルからローレベルになったときに前記データを前記レジスタに書込むか、前記クロック信号がローレベルからハイレベルになったときに前記データを前記レジスタに書込むか、を選択することを特徴とする電子回路制御方法。
【請求項２】
クロック信号に応じてデータをレジスタに書込む電子回路制御方法であって、前記クロック信号がハイレベルからローレベルになったときに前記データを前記レジスタに書込むか、前記クロック信号がローレベルからハイレベルになったときに前記データを前記レジスタに書込むか、を選択する選択信号を入力することを特徴とする電子回路制御方法。
【請求項３】
クロック信号に応じてデータをレジスタに書込む電子回路装置であって、前記クロック信号を入力する第一の端子と、前記データを入力する第二の端子と、前記クロック信号の立ち上がりで前記データを前記レジスタに書込むか前記クロック信号の立ち下がりで前記データを前記レジスタに書込むかを選択する選択信号を入力する第三の端子と、を少なくとも有することを特徴とする電子回路装置。
【発明の詳細な説明】
【０００１】
【発明の属する技術分野】
本発明は、クロック信号に応じてデータをレジスタに書込む電子回路制御方法、及び電子回路装置に関するものである。
【０００２】
【従来の技術】
従来より、マイコン１，表示コントローラ２（電子回路装置）及び液晶表示素子３からなる液晶表示装置がある（図７参照）。マイコン１は、ＣＰＵ，ＲＡＭ，ＲＯＭ等から構成されるものであり、クロック信号ＥＣＬＫ及び表示データＤＡＴＡを出力する端子４，５を有している（図８参照）。一方、表示コントローラ２には、クロック信号ＥＣＬＫ及び表示データＤＡＴＡを夫々入力するための端子６，７が設けられている。表示データＤＡＴＡは、バス（ＢＵＳ）８を介して表示コントローラ２に出力される。表示データＤＡＴＡが入出力される端子５，７の数はバス幅に対応しており、例えばバス幅が８ビットであれば、端子５，７の数も夫々８個である。
【０００３】
表示コントローラ２に入力された表示データＤＡＴＡは、レジスタ９に一時的に格納された後、図示しないビデオメモリ（所謂ＶＲＡＭ）に出力される。表示コントローラ２は、マイコン１から入力した表示データＤＡＴＡに基づいて、液晶表示素子３の表示画面を制御する。
図９に示すように、マイコン１から出力されるクロック信号ＥＣＬＫは、所定周期でハイレベルとローレベルが繰返す矩形波になっており、クロック信号ＥＣＬＫがローレベルからハイレベルになるとき、即ち、クロック信号ＥＣＬＫの立ち上がりでレジスタ９に表示データＤＡＴＡが書込まれる。
【０００４】
【発明が解決しようとする課題】
しかしながら、マイコン１は、メーカーや機種によって、クロック信号ＥＣＬＫの立ち上がりに対応させて表示データＤＡＴＡを出力するものと、クロック信号ＥＣＬＫの立ち下がりに対応させて表示データＤＡＴＡを出力するものがあるため、特定のマイコン１の仕様に合わせて設計された表示コントローラ２は、他のマイコン１には適応しない虞があった。したがって、他のマイコン１が表示コントローラ２に適応しない場合には、表示コントローラ２を新たに設計しなければならないという問題を有していた。
本発明は、この問題に鑑みなされたものであり、種々のマイコンに対応できる電子回路制御方法及び電子回路装置を提供するものである。
【０００５】
【課題を解決するための手段】
本発明は、前記課題を解決するため、制御手段１１から出力されるクロック信号ＥＣＬＫに応じてデータＤＡＴＡをレジスタ２８に書込む電子回路制御方法であって、前記データＤＡＴＡの書込みタイミングを設定する端子２５を備え、前記クロック信号ＥＣＬＫがハイレベルからローレベルになったときに前記データＤＡＴＡを前記レジスタ２８に書込むか、前記クロック信号ＥＣＬＫがローレベルからハイレベルになったときに前記データＤＡＴＡを前記レジスタ２８に書込むか、を選択するものである。
【０００６】
また、本発明は、クロック信号ＥＣＬＫに応じてデータＤＡＴＡをレジスタ２８に書込む電子回路制御方法であって、前記クロック信号ＥＣＬＫがハイレベルからローレベルになったときに前記データＤＡＴＡを前記レジスタ２８に書込むか、前記クロック信号ＥＣＬＫがローレベルからハイレベルになったときに前記データＤＡＴＡを前記レジスタ２８に書込むか、を選択する選択信号ＳＥを入力するものである。
【０００７】
また、本発明は、クロック信号ＥＣＬＫに応じてデータＤＡＴＡをレジスタ２８に書込む電子回路装置１２であって、前記クロック信号ＥＣＬＫを入力する第一の端子２２と、前記データＤＡＴＡを入力する第二の端子２４と、前記クロック信号ＥＣＬＫの立ち上がりで前記データＤＡＴＡを前記レジスタ２８に書込むか前記クロック信号ＥＣＬＫの立ち下がりで前記データＤＡＴＡを前記レジスタ２８に書込むかを選択する選択信号ＳＥを入力する第三の端子２５と、を少なくとも有するものである。
【０００８】
【発明の実施の形態】
以下、添付の図面に基いて、本発明を液晶表示装置に適用した一実施形態を説明する。
液晶表示装置は、マイコン１１（制御手段），表示コントローラ１２及び液晶表示素子１３を有している（図１参照）。マイコン１１は、ＣＰＵ，ＲＯＭ，ＲＡＭ等から構成されており、クロック信号ＣＬＫ，クロック信号ＥＣＬＫ，リード・ライト信号Ｒ／Ｗ，アドレス・データ信号ＡＤを表示コントローラ１２に出力する。液晶表示素子１３は、ドライバ回路１４とＬＣＤパネル１５とからなるものである。表示コントローラ１２は、ドライバ回路１４を介して、ＬＣＤパネルを駆動する。マイコン１１及び表示コントローラ１２は、硬質回路基板１６に搭載されている。
【０００９】
マイコン１１は、クロック信号ＣＬＫを出力する端子１７，クロック信号ＥＣＬＫを出力する端子１８，リード・ライト信号Ｒ／Ｗを出力する端子１９，アドレス・データ信号ＡＤを出力する端子２０を有している。表示コントローラ１２は、クロック信号ＣＬＫを入力する端子２１，クロック信号ＥＣＬＫを入力する端子２２（第一の端子），リード・ライト信号Ｒ／Ｗを入力する端子２３，アドレス・データ信号ＡＤを入力する端子２４（第二の端子），選択信号ＳＥを入力する端子２５（第三の端子）を有している。
【００１０】
アドレス・データ信号ＡＤは、アドレス信号ＡＤＲと表示データＤＡＴＡとからなるものであり、バス２７を介して表示コントローラ１２に出力される。表示コントローラ１２に入力された表示データＤＡＴＡは、レジスタ２８に一時的に格納された後、図示しないビデオメモリに出力される。図３に示すように、レジスタ２８は、夫々８ビットの表示データＤ００〜Ｄ６３を格納する６４個のアドレス００〜６３を有している。表示コントローラ１２は、マイコン１１から入力した表示データＤＡＴＡに基づいて、液晶表示素子３の表示画面を制御する。
【００１１】
次に、図４に基づいて、各信号ＣＬＫ，ＥＣＬＫ，Ｒ／Ｗ，ＡＤ，ＳＥについて詳述する。クロック信号ＥＣＬＫは、クロック信号ＣＬＫを分周することにより生成したものである。クロック信号ＥＣＬＫは、所定周期でハイレベルとローレベルが繰返す矩形波になっている。アドレス・データ信号ＡＤは、リード・ライト信号Ｒ／Ｗに同期して、アドレス信号ＡＤＲと表示データＤＡＴＡが交互に出力される。リード・ライト信号Ｒ／Ｗがハイレベルのときに、アドレス信号ＡＤＲが出力され、リード・ライト信号Ｒ／Ｗがローレベルのときに、表示データＤＡＴＡが出力される。
【００１２】
選択信号ＳＥが入力される端子２５は硬質回路基板１６のグランドパターンに電気的に接続されており、選択信号ＳＥは常にローレベルになっている。表示データＤＡＴＡは、クロック信号ＥＣＬＫがローレベルからハイレベルになるとき、即ち、クロック信号ＥＣＬＫの立ち上がりでレジスタ２８に書込まれる。
【００１３】
表示コントローラ１２は、選択信号ＳＥがローレベルの場合、クロック信号ＥＣＬＫの立ち上がりでレジスタ２８に表示データＤＡＴＡが書込まれ、選択信号ＳＥがハイレベルの場合、クロック信号ＥＣＬＫの立ち下がりでレジスタ２８に表示データＤＡＴＡが書込まれる。
【００１４】
図５及び図６は、表示クロック信号ＥＣＬＫの立ち下がりに対応させて表示データＤＡＴＡを出力するマイコン３１を、前述した表示コントローラ１２に組合わせて使用した実施形態を示すものである。
【００１５】
選択信号ＳＥが入力される表示コントローラ１２の端子２５は、硬質回路基板１６の配線パターンに電気的に接続されており、選択信号ＳＥは常にハイレベルになっている。表示データＤＡＴＡは、クロック信号ＥＣＬＫがハイレベルからローレベルになるとき、即ち、クロック信号ＥＣＬＫの立ち下がりでレジスタ２８に書込まれる。
【００１６】
本実施形態によれば、表示コントローラ１２は、選択信号ＳＥをローレベルまたはハイレベルにすることにより、選択信号クロック信号ＥＣＬＫの立ち上がりに対応させて表示データＤＡＴＡを出力するマイコン１１と、クロック信号ＥＣＬＫの立ち下がりに対応させて表示データＤＡＴＡを出力するマイコン３１と、に使用できる。したがって、液晶表示装置のマイコン１１をマイコン３１に変更する場合であっても、表示コントローラ１２を新たに設計し直す必要がない。
【００１７】
なお、本実施形態は液晶表示装置であったが、本願発明は表示コントローラ１２に限定されず、要旨の範囲内で種々の電子回路装置に適用できることは言うまでもない。
【００１８】
【発明の効果】
本発明は、制御手段から出力されるクロック信号に応じてデータをレジスタに書込む電子回路制御方法であって、前記データの書込みタイミングを設定する端子を備え、前記クロック信号がハイレベルからローレベルになったときに前記データを前記レジスタに書込むか、前記クロック信号がローレベルからハイレベルになったときに前記データを前記レジスタに書込むか、を選択するものであり、選択信号をローレベルまたはハイレベルにすることにより、種々のマイコンに適用できる。
【００１９】
また、本発明は、クロック信号に応じてデータをレジスタに書込む電子回路制御方法であって、前記クロック信号がハイレベルからローレベルになったときに前記データを前記レジスタに書込むか、前記クロック信号がローレベルからハイレベルになったときに前記データを前記レジスタに書込むか、を選択する選択信号を入力するものであり、選択信号をローレベルまたはハイレベルにすることにより、種々のマイコンに適用できる。
【００２０】
また、本発明は、クロック信号に応じてデータをレジスタに書込む電子回路装置であって、前記クロック信号を入力する第一の端子と、前記データを入力する第二の端子と、前記クロック信号の立ち上がりで前記データを前記レジスタに書込むか前記クロック信号の立ち下がりで前記データを前記レジスタに書込むかを選択する選択信号を入力する第三の端子と、を少なくとも有するものであり、選択信号をローレベルまたはハイレベルにすることにより、種々のマイコンに適用できる。
【図面の簡単な説明】
【図１】本発明の実施形態を示す液晶表示装置のブロック図。
【図２】同上実施形態を示すマイコン及び表示コントローラのブロック図。
【図３】同上実施形態を示すレジスタの説明図。
【図４】同上実施形態を示すタイミング図。
【図５】同上実施形態を示すマイコン及び表示コントローラのブロック図。
【図６】同上実施形態を示すタイミング図。
【図７】従来例を示す液晶表示装置のブロック図。
【図８】同上従来例を示すマイコン及び表示コントローラのブロック図。
【図９】同上従来例を示すタイミング図。
【符号の説明】
１１　マイコン（制御手段）
１２　表示コントローラ（電子回路装置）
２２　端子（第一の端子）
２４　端子（第二の端子）
２５　端子（第三の端子）
２８　レジスタ
ＥＣＬＫ　クロック信号
ＤＡＴＡ　表示データ（データ）
ＳＥ　選択信号
【図１】
2004023759.tif 000003
【図２】
2004023759.tif 000004
【図３】
2004023759.tif 000005
【図４】
2004023759.tif 000006
【図５】
2004023759.tif 000007
【図６】
2004023759.tif 000008
【図７】
2004023759.tif 000009
【図８】
2004023759.tif 000010
【図９】
2004023759.tif 000011